(57)【要約】【課題】連結シートの勾配面への密着性が良好なタイルユニットを提供する。【解決手段】連結シート２０は方形であり、その中央に円形の孔２１が設けられている。また、該連結シート２０には４本の切れ目２２が設けられており、各切れ目２２は孔２１に連なっている。第８，９図の通り、この連結シート２０の上側は、裏足１４の底面１４ａに接合されていると共に、勾配面１４ｃにも接合されている。また、この連結シート２０の下側は、裏足１１の底面１１ａに接合されていると共に、勾配面１１ｃにも接合されている。連結シート２０は、切れ目２２を折れ目として屈曲し易い構造となっている。これにより、連結シート２０が勾配面１１ｃ、１４ｃに対して良好に接合されることになる。【選択図】図８
2010216099.tif 000002
【特許請求の範囲】
【請求項１】
複数個のタイルを、タイルの裏面に接続された連結シートで連結してなるタイルユニットであって、
該タイルの裏面の辺縁に勾配面が設けられているタイルユニットにおいて、
該連結シートに、該連結シートの該勾配面への密着性を高めるための切れ目が形成されていることを特徴とするタイルユニット。
【請求項２】
請求項１において、複数の方向に切れ目が設けられていることを特徴とするタイルユニット。
【請求項３】
請求項１又は２において、該連結シートに孔が形成されており、該孔の少なくとも一部が目地部に臨んでいることを特徴とするタイルユニット。
【請求項４】
請求項３において、該切れ目の少なくとも一部が、該孔に連なっていることを特徴とするタイルユニット。
【請求項５】
請求項１ないし４のいずれか１項において、該切れ目の少なくとも一部は略コ字形又は略Ｃ字形の切れ目であり、該略コ字形又は略Ｃ字形の切れ目で囲まれた舌片部の少なくとも一部が目地に臨んでいることを特徴とするタイルユニット。
【請求項６】
請求項５において、該舌片部よりも外側に形成された切れ目の少なくとも一部が、該略コ字形又は略Ｃ字形の切れ目の延在方向における途中部分に連なっていることを特徴とするタイルユニット。
【発明の詳細な説明】
【技術分野】
【０００１】
本発明は、複数個のタイルを連結シートで連結してなるタイルユニットに係り、特に、タイルの裏面に連結シートが付着されているタイルユニットに関する。
【背景技術】
【０００２】
タイルの裏面に、隣接するタイルに架け渡すように紙（台紙）を接着剤で接着することにより、複数枚のタイルを連結してなるタイルユニットは、１回のタイル貼り操作で、複数枚のタイルを施工することができ、施工作業の軽減、工期の短縮に有効であることから、従来、内外装用タイルの施工に広く用いられている。
【０００３】
このようなタイルユニットは、連結するタイルを、裏面を上にして型枠などに入れて整列させ、接着剤を塗布した紙をタイル裏面に圧着することにより製造されている。
【０００４】
なお、連結に用いる紙の材質は、ＪＩＳ ５２０９に定められており、伸縮性のないものである。
【０００５】
ところで、タイルは一般に成形用坏土を成形金型に充填して加圧成形する乾式成形により製造されるが、この乾式成形時においては、次のような問題がある。
【０００６】
即ち、成形金型の内周縁部においては、金型の間隙からの坏土のもれや金型の変形などにより、成形圧力が低くなるため、得られる成形体の外周縁部は、密度が低いものとなる。
【０００７】
そこで、成形体の外周縁部にも十分な成形圧力が加わるように、予め、上下金型に「しめ勾配」と称される傾斜を設けている。このため、タイルの表裏両面には、側周縁部に向けて表面又は裏面から後退するような傾斜面よりなるしめ勾配が形成される。
【０００８】
従来、タイル裏面のしめ勾配は３．８〜９．１°程度であり、しめ勾配部分の幅は３〜１０ｍｍ程度である。
【０００９】
裏面にしめ勾配が形成されたタイルを用いて製造したタイルユニットにあっては、タイルの連結に用いられる紙は伸縮性のないものであることから、しめ勾配の部分でタイル裏面に対して紙が浮き上がったような状態になり、タイル裏面と紙との接着が不十分となるおそれがある。
【００１０】
特開平８−１０９７３０号公報には、しめ勾配を１〜４°とすることにより、紙とタイル裏面との接着性を向上させることが記載されている。
【先行技術文献】
【特許文献】
【００１１】
【特許文献１】特開平８−１０９７３０号公報
【発明の概要】
【発明が解決しようとする課題】
【００１２】
本発明は、タイル裏面の周縁における勾配を１〜４°のように小さくするまでもなく、連結シートの勾配面への密着性が良好なタイルユニットを提供することを目的とする。
【課題を解決するための手段】
【００１３】
本発明（請求項１）のタイルユニットは、複数個のタイルを、タイルの裏面に接続された連結シートで連結してなるタイルユニットであって、該タイルの裏面の辺縁に勾配面が設けられているタイルユニットにおいて、該連結シートに、該連結シートの該勾配面への密着性を高めるための切れ目が形成されていることを特徴とするものである。
【００１４】
請求項２のタイルユニットは、請求項１において、複数の方向に切れ目が設けられていることを特徴とする。
【００１５】
請求項３のタイルユニットは、請求項１又は２において、該連結シートに孔が形成されており、該孔の少なくとも一部が目地部に臨んでいることを特徴とする。
【００１６】
請求項４のタイルユニットは、請求項３において、該切れ目の少なくとも一部が、該孔に連なっていることを特徴とする。
【００１７】
請求項５のタイルユニットは、請求項１ないし４のいずれか１項において、該切れ目の少なくとも一部は略コ字形又は略Ｃ字形の切れ目であり、該略コ字形又は略Ｃ字形の切れ目で囲まれた舌片部の少なくとも一部が目地に臨んでいることを特徴とする。
【００１８】
請求項６のタイルユニットは、請求項５において、該舌片部よりも外側に形成された切れ目の少なくとも一部が、該略コ字形又は略Ｃ字形の切れ目の延在方向における途中部分に連なっていることを特徴とする。
【発明の効果】
【００１９】
本発明のタイルユニットにあっては、連結シートに切れ目が形成されている。これにより、連結シートがタイルの裏面辺縁の勾配面に沿って変形し易くなり、該連結シートと勾配面との密着性が向上する。また、モルタル（接着剤）を塗布した壁面に対してこのタイルユニットの裏面を圧着するときに、モルタル（接着剤）や該壁面とタイルユニットの裏面との間に巻き込まれた空気が、該切れ目を通過する。これにより、タイルユニットがモルタル（接着剤）にしっかりと食い込み、タイルユニットが壁面に強固に貼着される。
【００２０】
この切れ目は複数の方向に設けられているのが好ましい。これにより、連結シートが複数の方向に変形し易くなるため、該連結シートと勾配面との密着性がより向上する。また、タイルユニットが壁面により強固に貼着される。
【００２１】
この連結シートには、さらに孔が形成され、該孔の少なくとも一部が目地部に臨んでいてもよい。この場合、上記のモルタル（接着剤）や空気が、切れ目と共に目地部に臨んだ孔からも通過する。これにより、タイルユニットがモルタル（接着剤）に十分に食い込み、タイルユニットが壁面により強固に貼着される。
【００２２】
本発明において、切れ目の少なくとも一部が、この孔に連なっていてもよい。これにより、連結シートがこの孔に連なっている切れ目の近傍においてより変形し易くなり、連結シートと勾配面との密着性がより向上する。
【００２３】
本発明において、この切れ目の少なくとも一部は略コ字形又は略Ｃ字形の切れ目であり、該略コ字形又は略Ｃ字形の切れ目で囲まれた舌片部の少なくとも一部が目地に臨んでいてもよい。この場合、モルタル（接着剤）を塗布した壁面に対してこのタイルユニットの裏面を圧着するときに、この略コ字形又は略Ｃ字形の切れ目によって形成された略コ字形孔又は略Ｃ字形孔から飛び出てきたモルタル（接着剤）が該舌片部の裏面に当る。これにより、モルタル（接着剤）が勢い良く飛び出して該タイルユニットの表面を汚すことが抑制される。
【００２４】
本発明において、該舌片部よりも外側に形成された切れ目の少なくとも一部が、該略コ字形又は略Ｃ字形の切れ目の延在方向における途中部分に連なっていてもよい。これにより、この略コ字形又は略Ｃ字形の切れ目に連なる切れ目の近傍において、連結シートがより変形し易くなり、連結シートと勾配面との密着性がより向上する。
【図面の簡単な説明】
【００２５】
【図１】実施の形態に係るタイルユニットの裏面の平面図である。
【図２】第１図のタイルの裏面の斜視図である。
【図３】第２図のIII−III線に沿う断面図である。
【図４】第２図のＩＶ−ＩＶ線に沿う断面図である。
【図５】第２図のＶ−Ｖ線に沿う断面図である。
【図６】第１図の部分拡大図である。
【図７】第６図における連結シート２０の接合前の状態を示す斜視図である。
【図８】第６図のＶＩＩＩ−ＶＩＩＩ線に沿う断面図である。
【図９】第６図のＩＸ−ＩＸ線に沿う断面図である。
【図１０】第６図のＸ−Ｘ線に沿う断面図である。
【図１１】第６図のＸＩ−ＸＩ線に沿う断面図である。
【図１２】第１図のタイルユニット１を壁面３０に貼着してなるタイル施工壁面を示す縦断面図である。
【図１３】異なる実施の形態に係るタイルユニットの裏面の平面図である。
【図１４】異なる実施の形態に係るタイルユニットの裏面の平面図である。
【図１５】異なる実施の形態に係るタイルユニットの裏面の平面図である。
【図１６】異なる実施の形態に係るタイルユニットの裏面の平面図である。
【図１７】異なる実施の形態に係るタイルユニットの裏面の平面図である。
【図１８】異なる実施の形態に係るタイルユニットの裏面の平面図である。
【図１９】異なる実施の形態に係るタイルユニットの裏面の平面図である。
【図２０】異なる実施の形態に係るタイルユニットの裏面の平面図である。
【発明を実施するための形態】
【００２６】
＜第１の実施の形態＞
以下、図面を参照して本発明の実施の形態について詳細に説明する。第１図は実施の形態に係るタイルユニットの裏面の平面図、第２図は第１図のタイルの裏面の斜視図、第３図は第２図のIII−III線に沿う断面図、第４図は第２図のＩＶ−ＩＶ線に沿う断面図、第５図は第２図のＶ−Ｖ線に沿う断面図、第６図は第１図の部分拡大図、第７図は第６図における連結シート２０の接合前の状態を示す斜視図、第８図は第６図のＶＩＩＩ−ＶＩＩＩ線に沿う断面図、第９図は第６図のＩＸ−ＩＸ線に沿う断面図、第１０図は第６図のＸ−Ｘ線に沿う断面図、第１１図は第６図のＸＩ−ＸＩ線に沿う断面図である。
【００２７】
第１図の通り、このタイルユニット１は、複数個のタイル１０を、タイル１０の裏面に接続された連結シート２０で連結してなるものである。このタイルユニット１にあっては、目地間隔をおいて横方向に３枚のタイル１０を配列してなる横列が、目地間隔をおいて縦方向に６列に配列されている。これにより、タイルユニット１の第１図における横方向に延在する５条の目地部３１が形成されていると共に、縦方向に延在する２条の目地部３２が形成されている。
【００２８】
＜タイル１０の説明＞
まず、第１〜５図を用いてタイル１０について説明する。各タイル１０は長方形状を有しており、タイル１０の裏面に４本の裏足１１〜１４が設けられている。裏足１１〜１４の各々は、タイル１０の一方の短辺（第１図の左辺）から他方の短辺（第１図の右辺）にわたってタイル長辺方向に延在している。裏足１１はタイル１０の一方の長辺（第１図の上辺）に沿って延在し、裏足１４は他方の長辺（第１図の下辺）に沿って延在し、裏足１２，１３はこれら裏足１１，１４の間に等間隔をおいて延在している。隣り合う裏足１１，１２、裏足１２，１３及び裏足１３，１４の間が、凹溝１５となっている。これらの凹溝１５は、タイル１０の一方の短辺から他方の短辺にわたって延在している。
【００２９】
以下に詳細に説明するが、第２図に示す通り、該タイル１０の裏面の４つの辺縁に勾配面が形成されている。即ち、該タイル１０の裏面の４つの辺縁のうち、１対の長辺縁（第１，２図の上辺縁及び下辺縁）にはそれぞれ勾配面１１ｃ、１４ｃが設けられており、一方の短辺縁（第１，２図の左短辺縁）には勾配面１１ｂ、１２ｂ、１３ｂ、１４ｂが設けられており、他方の辺縁（第１図の右短辺縁）にも勾配面１１ｂ、１２ｂ、１３ｂ、１４ｂが設けられている。
【００３０】
裏足１１は、タイル１０の裏面から起立した略直方体形状となっているが、該裏足１１の先端側の３つの辺縁に勾配面１１ｂ、１１ｂ、１１ｃが設けられている。即ち、該裏足１１の底面１１ａの一方の短辺（第２図の左側の短辺）からタイル１０の木端面（第２図の左側の木端面）にわたって勾配面１１ｂが設けられている。同様に、該裏足１１の底面１１ａの他方の短辺（第２図の右側の短辺）からタイル１０の木端面（第２図の右側の木端面）にわたって勾配面１１ｂが設けられている。該裏足１１の１対の長辺のうちタイル外側に位置する長辺（第２図の上側の長辺）からタイル１０の木端面（第２図の上側の木端面）にわたって勾配面１１ｃが設けられている。第３図に示す通り、該裏足１１のうち他方の長辺（第２図の下側の長辺）に連なる側面１１ｄには勾配面が設けられておらず、該側面１１ｄはタイル裏面から該裏足１１の底面１１ａにわたって垂直に起立している。
【００３１】
裏足１２も、タイル１０の裏面から起立した略直方体形状となっているが、該裏足１２の両短辺縁に勾配面１２ｂが設けられている。即ち、該裏足１２の底面１２ａの一方の短辺（第２図の左側の短辺）からタイル１０の木端面（第２図の左側の木端面）にわたって勾配面１２ｂが設けられている。同様に、該裏足１２の底面１２ａの他方の短辺（第２図の右側の短辺）からタイル１０の木端面（第２図の右側の木端面）にわたって勾配面１２ｂが設けられている。第３図に示す通り、該裏足１２の１対の長側面１２ｃには勾配面が設けられておらず、該長側面１２ｃはタイル裏面から該裏足１２の底面１２ａにわたって垂直に起立している。
【００３２】
裏足１３は裏足１２と同一形状となっている。具体的には、裏足１３も、タイル１０の裏面から起立した略直方体形状となっているが、該裏足１３の両短辺縁に勾配面１３ｂが設けられている。即ち、該裏足１３の底面１３ａの一方の短辺（第２図の左側の短辺）からタイル１０の木端面（第２図の左側の木端面）にわたって勾配面１３ｂが設けられている。同様に、該裏足１３の底面１３ａの他方の短辺（第２図の右側の短辺）からタイル１０の木端面（第２図の右側の木端面）にわたって勾配面１３ｂが設けられている。第３図に示す通り、該裏足１３の１対の長側面１３ｃには勾配面が設けられておらず、該側面１３ｃはタイル裏面から該裏足１３の底面１３ａにわたって垂直に起立している。
【００３３】
裏足１４は、裏足１１を第２図において上下反転させた形状となっている。具体的には、裏足１４は、タイル１０の裏面から起立した略直方体形状となっているが、該裏足１４の先端側の３つの辺縁に勾配面１４ｂ、１４ｂ、１４ｃが設けられている。即ち、該裏足１４の底面１４ａの一方の短辺（第２図の左側の短辺）からタイル１０の木端面（第２図の左側の木端面）にわたって勾配面１４ｂが設けられている。同様に、該裏足１４の底面１４ａの他方の短辺（第２図の右側の短辺）からタイル１０の木端面（第２図の右側の木端面）にわたって勾配面１４ｂが設けられている。該裏足１４の１対の長辺のうちタイル外側に位置する長辺（第２図の下側の長辺）からタイル１０の木端面（第２図の下側の木端面）にわたって勾配面１４ｃが設けられている。第３図に示す通り、該裏足１４のうち他方の長辺（第２図の上側の長辺）に連なる側面１４ｄには勾配面が設けられておらず、該側面１４ｄはタイル裏面から該裏足１４の底面１４ａにわたって垂直に起立している。
【００３４】
なお、該タイル１０の裏面の一方の短辺縁（第１，２図の左短辺縁）に設けられた勾配面１１ｂ、１２ｂ、１３ｂ、１４ｂは、同一平面上に位置している。該タイル１０の裏面の他方の辺縁（第１，２図の右短辺縁）に設けられた勾配面１１ｂ、１２ｂ、１３ｂ、１４ｂも、同一平面上に位置している。
【００３５】
このタイル１０の寸法に特に限定はないが、例えば、代表的な外装モザイクタイル５０ｍｍ二丁では、第１図における縦方向長さは４５ｍｍ、横方向長さは９５ｍｍ、厚さは４〜１０ｍｍ特に７〜９ｍｍ程度である。
【００３６】
また、裏足１１〜１４の幅（タイル１０の短辺方向の長さ）は、例えば４〜１０ｍｍ特に５〜７ｍｍである。勾配面１１ｂの幅、即ち、底面１１ａとの交叉部から木端面との交叉部までの距離は、例えば２〜４ｍｍ特に２．５〜３．５ｍｍである。勾配面１１ｃ、１２ｂ、１３ｂ、１４ｂ、１４ｃの幅も、勾配面１１ｂの幅と同程度である。
【００３７】
底面１１ａと勾配面１１ｂ，１１ｃとのなす角度、底面１２ａと勾配面１２ｂとのなす角度、底面１３ａと勾配面１３ｂとのなす角度及び底面１４ａと勾配面１４ｂ，１４ｃとのなす角度は、例えば５〜１５°特に７〜１４°である。
【００３８】
第３図の通り、本実施の形態では、凹溝１５はその延在方向（第１図の左右方向）と垂直な断面の形状が長方形となっているが、これに限定されるものではなく、例えば、凹溝１５は深さ方向に向って幅（第３図の左右方向長さ）が大きくなる、垂直断面の形状がアリ形のものであってもよい。即ち、側面１１ｄ、１２ｃ、１３ｃ、１４ｄはタイル裏面から垂直に起立しているが、これに限定されるものではなく、例えば、これら側面１１ｄ、１２ｃ、１３ｃ、１４ｄの少なくとも一面と底面１１ａ、１２ａ、１３ａ、１４ａとのなす角度が鋭角であってもよい。
【００３９】
＜連結シート２０の説明＞
このように構成されたタイル１０は、第１図のように横３列、縦６列に配列され、裏面が連結シート２０及び連結シート（小）２４で連結されている。
【００４０】
第６，７図の通り、この連結シート２０は方形であり、その中央に円形の孔２１が設けられている。また、該連結シート２０には複数本（本実施の形態では４本）の切れ目２２が設けられており、各切れ目２２は孔２１に連なっている。別言すると、該孔２１の周縁の４箇所から該孔２１の外側に向って、４本の切れ目２２が延設されている。これら４本の切れ目のうち、２本は該連結シート２０の一辺と平行方向に延在しており、他の２本は該一辺と直角方向に延在している。
【００４１】
この連結シート２０の寸法には特に限定はないが、例えば、縦方向及び横方向の長さが１０〜３０ｍｍ特に１５〜２０ｍｍ程度であり、厚さが０．１〜１．０ｍｍ特に０．１〜０．３ｍｍ程度である。孔２１の直径は、例えば５〜１０ｍｍ特に８〜１０ｍｍ程度である。切り目２２の寸法は、例えば、長さ２〜７ｍｍ特に２〜３ｍｍ程度、幅０〜０．１ｍｍ例えば０．０１〜０．１ｍｍ程度である。
【００４２】
この連結シート２０としては、合成樹脂、布、紙等よりなる基材の表面に接着剤層を形成したものが好適に用いられる。
【００４３】
＜連結シート２０と４枚のタイル１０との接合箇所の説明＞
第１図において、タイルユニット１における中央の１０枚の連結シート２０は、４枚のタイル１０の裏面同士を連結しており、外側の目地部３１を跨ぐ１０枚の連結シート２０は、２枚のタイル１０の裏面同士を連結している。外側の目地部３２を跨ぐ４枚の連結シート（小）２４は、２枚のタイル１０の裏面同士を連結している。
【００４４】
第６図は、４枚のタイル１０の裏面同士が連結シート２０で連結された箇所を示しており、第７図は第６図の連結シート２０によって４枚のタイル１０が連結される前の状態を示している。
【００４５】
第６図の通り、連結シート２０は、一辺がタイル１０の一辺と平行になるようにして、かつ４枚のタイル１０を跨ぐようにして、４枚のタイル１０の裏面に接合されている。孔２１は、目地部３１と目地部３２との交叉部に臨んでいる。この孔２１の第６図における縦方向長さ及び横方向長さ（即ち直径）は、目地部３１の幅及び目地部３２の幅よりも大きくなっており、４枚のタイル２０の角部の一部が該孔２１から露出している。２本の切れ目２２は、それらの延在方向が目地部３１の延在方向と平行になるようにして、目地部３１に臨んでいる。残り２本の切れ目２２は、それらの延在方向が目地部３２の延在方向と平行になるようにして、目地部３２に臨んでいる。なお、これら目地部３１，３２の幅は、例えば２〜１０ｍｍ特に４〜６ｍｍである。
【００４６】
第６，８，９図に示す通り、連結シート２０の図における上側は、上側のタイル１０の裏足１４に接合されている。また、連結シート２０の図における下側は、下側のタイル１０の裏足１１に接合されている。第８，９図の通り、この連結シート２０の上側は、裏足１４の底面１４ａに接合されていると共に、勾配面１４ｃにも接合されている。また、この連結シート２０の下側は、裏足１１の底面１１ａに接合されていると共に、勾配面１１ｃにも接合されている。
【００４７】
また、第６，１０，１１図に示す通り、連結シート２０は、第６図の上側のタイル１０における裏足１４の勾配面１４ｂにも接合されている。図示は省略するが、連結シート２０は、第６図の下側のタイル１０における裏足１１の勾配面１１ｂにも接合されている。
【００４８】
このように、連結シート２０は、タイルの裏足１１，１４の底面１１ａ、１４ａのみならず、勾配面１１ｂ、１１ｃ、１４ｂ、１４ｃにも接合されているので、連結シート２０とタイル１０との接続が強固なものとなる。
【００４９】
なお、第８，１０図に示す通り、連結シート２０は、切れ目２２を折れ目として屈曲し易い構造となっている。これにより、連結シート２０が勾配面１１ｂ、１１ｃ、１４ｂ、１４ｃに対して良好に接合されることになる。
【００５０】
＜連結シート２０と上下２枚のタイル１０との接合箇所の説明＞
第１図のタイルユニット１における左端の５枚の連結シート２０及び右端の５枚の連結シート２０は、上下方向に隣り合う２枚のタイル１０の裏面同士を連結している。第８，９図の場合と同様に、これら連結シート２０は、上側のタイル１０における裏足１４の底面１４ａのみならず、勾配面１４ｃにも接合している。同様に、この連結シート２０は、下側のタイル１０における裏足１１の底面１１ａのみならず、勾配面１１ｃにも接合している。
【００５１】
＜連結シート（小）２４と左右２枚のタイル１０との接合箇所の説明＞
第１図のタイルユニット１における上端の２枚の連結シート（小）２４は、左右方向に隣り合う２枚のタイル１０の裏面同士を連結している。図示は省略するが、連結シート（小）２４は裏足１２の底面１２ａ及び勾配面１２ｂに接合されている。
【００５２】
また、第１図のタイルユニット１における下端の２枚の連結シート（小）２４は、左右方向に隣り合う２枚のタイル１０の裏面同士を連結している。図示は省略するが、連結シート（小）２４は裏足１３の底面１３ａ及び勾配面１３ｂに接合されている。
【００５３】
本実施の形態では、連結シート（小）２４は第１図の左右方向に細長い長方形であり、その短辺は裏足１２，１３の幅（第１図の上下方向長さ）と同一であるか又は該幅よりも小さいものとなっている。
【００５４】
＜タイルユニット１の壁面への貼着の一例＞
第１２図は、上記の通り構成されたタイルユニット１を壁面３０に貼着してなるタイル施工壁面を示す縦断面図である。このタイル施工壁面は、壁面３０の表面に対して、モルタル（接着剤）３１を介してタイルユニット１の裏面が貼着された構造となっている。
【００５５】
かかるタイル施工壁面を施工する場合には、例えば、先ず壁面３０にモルタル（接着剤）３１を塗布し、その上にタイルユニット１の裏面を当接した後、たたき板（板にゴムを貼ったもの）等の工具を用いてタイルユニット１の表面を打撃して、タイルユニット１の裏面をモルタル（接着剤）３１に密着させる。
【００５６】
このように打撃する際に、モルタル（接着剤）３１が孔２１及び切れ目２２から連結シート２０の表面に流出する。これにより、タイルユニット１がモルタル（接着剤）３１内により押し込められ、タイルユニット１が壁面３０に対して強固に貼着されることになる。
【００５７】
上記の実施の形態は本発明の一例であり、本発明は上記の実施の形態に限定されるものではない。
【００５８】
例えば、タイル１０の裏足１１〜１４の数は４本であったが、３本以下又は５本以上であってもよい。タイル１０の裏面の４辺縁に勾配面が設けられているが、勾配面は１〜３辺縁に設けられていてもよい。
【００５９】
第８，９図の通り、連結シート２０は、上側のタイル１０の底面１４ａと側面１４ｄとの交叉部から、その下側のタイル１０の底面１１ａと側面１１ｄとの交叉部にまで延在しているが、それよりも短くしても良い。また、第８，９図において、連結シート２０は勾配面１４ｃの幅全体にわたって（即ち、勾配面１４ｃと底面１４ａとの交叉部から勾配面１４ｃとタイル１０の木端面との交叉部にわたって）接合されているが、該幅の一部に接合されていてもよい。勾配面１１ｃについても同様に、連結シート２０は勾配面１１ｃの幅全体にわたって接合されているが、該幅の一部に接合されていてもよい。第１０，１１図でも同様に、連結シート２０は勾配面１４ｂの幅全体にわたって接合されているが、該幅の一部に接合されていてもよい。
【００６０】
連結シート２０は略正方形であるが、長方形、その他の多角形、円形、楕円形等であってもよい。また、連結シートの第１図における横方向の長さを大きくし、１枚の連結シートで横方向に配列された３個以上（上下合わせると６個以上）のタイル１０を接合するようにしてもよい。また、連結シートの第１図における縦方向の長さを大きくし、１枚の連結シートで縦方向に配列された３個以上（上下合わせると６個以上）のタイル１０を接合するようにしてもよい。
【００６１】
タイルユニット１は目地部３１，３２を有しているが、目地部３１，３２を設けず、隣り合うタイル１０の木端面同士を突き合わせるようにして配列してもよい。さらに、目地部３１，３２は直線状（通し目地）であるが、これに限定されるものではなく、例えば馬踏み目地であってもよい。
【００６２】
タイルユニット１においては、タイル１０は縦６列、横３列に配列されているが、これに限定されるものではなく、２個以上のタイル１０で構成される限り、縦に１〜５列又は７列以上、横に１，２列又は４列以上に配列されていてもよい。
【００６３】
第１図の外側の１０枚の連結シート２０及び４枚の連結シート（小）２４の少なくとも一部は省略されてもよい。例えば、外側の１０枚の連結シート２０の総てが省略されてもよく、及び／又は、外側の４枚の連結シート（小）２４の総てが省略されてもよい。
【００６４】
以下に、その他の実施の形態について説明する。
【００６５】
＜その他の実施の形態＞
第１３図〜第２０図は、第１の実施の形態において、連結シート２０を異なる連結シート２０Ａ〜２０Ｈに代えてなるタイルユニット１Ａ〜１Ｈの部分的な裏面平面図である。なお、各連結シート２０Ａ〜２０Ｈの方形の寸法は連結シート２０の方形の寸法と同一となっているが、異ならせてもよい。
【００６６】
第１３図のタイルユニット１Ａの連結シート２０Ａには、同一直線上に間隔をおいて延在する複数の切れ目２２ａよりなる切れ目列２２Ａが、平行方向に間隔をおいて複数列（第１３図では６列）に配列されている。なお、連結シート２０Ａの左下には、１本の切れ目２２ａが設けられている。各切れ目２２ａは互いに平行方向を指向しており、連結シート２０Ａの一辺に対して斜め方向（第１３図では連結シート２０Ａの上辺に対して時計回りに４５°の方向）を指向している。これら複数の切れ目２２ａの少なくとも一部は、目地部３１，３２に臨んでいる。
【００６７】
このように構成されたタイルユニット２０Ａにあっても、切れ目２２ａの部分で変形し易いので、タイル１０の裏足の底面及び勾配面に良好に密着する。また、この切れ目２２ａは第１の実施の形態の連結シート２０の孔２１よりも小さい。そのため、第１２図のようなタイル施工壁面を施工するためにタイルユニット１Ａを工具で打撃するときに、切れ目２２ａから流出するモルタル（接着剤）３１の勢いが弱くなる。これにより、タイルユニット１Ａの表面や治具がモルタル（接着剤）３１で汚れることが防止ないし抑制される。
【００６８】
第１４図のタイルユニット１Ｂの連結シート２０Ｂにあっては、目地部３１に臨み且つ該目地部３１の延在方向に延在する直線状の切れ目２２Ｂと、目地部３２に臨み且つ該目地部３２の延在方向に延在する直線状の切れ目２２Ｃとが、十字状に直交するように設けられている。
【００６９】
これら切れ目２２Ｂ，２２Ｃにより、４個の三角形状の舌片部２３Ａ〜２３Ｄが形成されている。即ち、切れ目２２Ｂと切れ目２２Ｃとの交点と、切れ目２２Ｃの上端と、切れ目２２Ｂの右端とを結ぶ三角形で囲まれた連結シート部分が、第１の舌片部２３Ａとなっている。同様に、該交点と、切れ目２２Ｂの右端と、切れ目２２Ｃの下端とを結ぶ三角形で囲まれた連結シート部分が、第２の舌片部２３Ｂとなっている。該交点と、切れ目２２Ｃの下端と、切れ目２２Ｂの左端とを結ぶ三角形で囲まれた連結シート部分が、第３の舌片部２３Ｃとなっている。該交点と、切れ目２２Ｂの左端と、切れ目２２Ｃの上端とを結ぶ三角形で囲まれた連結シート部分が、第４の舌片部２３Ｄとなっている。
【００７０】
このように構成されたタイルユニット１Ｂにあっては、連結シート２０Ｂが切れ目２２Ｂ及び切れ目２２Ｃに沿って屈曲し易い。これにより、該連結シート２０Ｂは、タイル１０の裏足の底面のみならず、勾配面にも良好に密着する。
【００７１】
また、このタイルユニット１Ｂを用いて第１２図のようなタイル施工壁面を施工するためにタイルユニット１Ｂを工具で打撃するときに、切れ目２２Ｂの左右両端及び切れ目２２Ｃの上下両端を結ぶ方形の孔４０から、舌片部２３Ａ〜２３Ｄを押し退けて接着剤３１が流出しようとする。しかし、これら舌片部２３Ａ〜２３Ｄにより、接着剤３１がタイルユニット１Ｂの表面方向に勢い良く飛び出ることが抑制される。これにより、タイルユニット１Ｂの表面や治具が接着剤３１で汚れることが防止ないし抑制される。
【００７２】
第１５図のタイルユニット１Ｃにおいては、連結シート２０Ｃの中央に略Ｕ字形（コ字形を時計回りに９０°回転させた形状。但し、この回転角度に特段の限定はない。）の切れ目２２Ｄが設けられている。該切れ目２２Ｄは目地部３１，３２の交叉部に臨んでいる。連結シート２０Ｃのうちこの切れ目２２Ｄで囲まれた部分が舌片部２３Ｅとなっている。
【００７３】
このように構成されたタイルユニット１Ｃにあっては、連結シート２０Ｃが切れ目２２Ｄを構成する３本の線分に沿って屈曲し易い。これにより、該連結シート２０Ｃは、タイル１０の裏足の底面のみならず、勾配面にも良好に密着する。
【００７４】
また、このタイルユニット１Ｃを第１２図のように壁面３０に貼り付ける際にあっても、該切れ目２２Ｄで囲まれた孔４０Ａからモルタル（接着剤）３１が勢い良く飛び出ることが、この舌片部２３Ｅによって防止され、その結果、タイルユニット１Ｃの表面や工具を汚すことが防止ないし抑制される。
【００７５】
第１６図のタイルユニット１Ｄにおいては、連結シート２０Ｄの中央に略Ｃ字形の切れ目２２Ｅが設けられている。該切れ目２２Ｅは目地部３１，３２の交叉部に臨んでいる。連結シート２０Ｄのうちこの切れ目２２Ｅで囲まれた部分が舌片部２３Ｆとなっている。
【００７６】
このように構成されたタイルユニット１Ｄを第１２図のように壁面に貼り付ける際にあっても、この舌片部２３Ｆにより、該切れ目２２Ｅで囲まれた孔４０Ｂからモルタル（接着剤）３１が勢い良く飛び出てタイルユニット１Ｄの表面や工具を汚すことが防止ないし抑制される。
また、切れ目２２Ｅの部分で変形し易いので、タイル１０の裏足の底面及び勾配面に良好に密着する。
【００７７】
第１７図のタイルユニット１Ｅの連結シート２０Ｅは、孔２１Ｆの寸法を第１の実施の形態の連結シート２０の孔２１よりも小さくしたものである。この孔２１Ｆの直径は目地部３１，３２の幅よりも小さくなっており、孔２１Ｆの全体が目地部３１，３２に臨んでいる。この孔２１Ｆは連結シート２０の孔２１よりも小さい。そのため、第１２図のようなタイル施工壁面を施工するためにタイルユニット１Ｅを工具で打撃するときに、孔２１Ｆから流出するモルタル（接着剤）３１の勢いが孔２１の場合よりも弱くなる。これにより、タイルユニット１Ｅの表面や治具がモルタル（接着剤）３１で汚れることが防止ないし抑制される。
【００７８】
図示は省略するが、孔２１Ｆ及び４本の切れ目２２により、４個の略台形の舌片部が形成されている。即ち、孔２１Ｆの周縁部、上側の切れ目２２及び右側の切れ目２２によって囲まれた部分が第１舌片部となっており、孔２１Ｆの周縁部、右側の切れ目２２及び下側の切れ目２２によって囲まれた部分が第２舌片部となっており、孔２１Ｆの周縁部、下側の切れ目２２及び左側の切れ目２２によって囲まれた部分が第３舌片部となっており、孔２１Ｆの周縁部、左側の切れ目２２及び上側の切れ目２２によって囲まれた部分が第４舌片部となっている。このため、第１７図の連結シート２０Ｅは、４本の切れ目２２の外側の端部同士を結ぶ四角形の孔を設けた場合と比べて、第１２図のようなタイル施工壁面を施工するためにタイルユニット１Ｅを工具で打撃するときに、孔２１Ｆから流出するモルタル（接着剤）３１の勢いが弱くなる。また、第１２図の連結シート２０Ｅは、かかる四角形の孔を設けた場合と同程度に屈曲して、勾配面に良好に密着する。なお、第１の実施の形態の連結シート２０にあっても、孔２１及び４本の切れ目２２により、４個の舌片部が形成されている。
【００７９】
第１８図のタイルユニット１Ｆの連結シート２０Ｆは、第１４図の連結シート２０Ｂにおいて、切れ目２２Ｂ，２２Ｃの両端にストップホール２４Ａ〜２４Ｄを設けたものである。このようにストップポール２４Ａ〜２４Ｄを設けたことにより、連結シート２０Ｆが切れ目２２Ｂ，２２Ｃに沿って破断することが防止される。
【００８０】
第１９図のタイルユニット１Ｇの連結シート２０Ｇは、第１５図の連結シート２０Ｃにおいて、略Ｕ字状の切れ目２２Ｄを構成する３線分の途中箇所（中点）から該Ｕ字の外側に向う切れ目２２Ｆを設けたものである。このように切れ目２２Ｆを設けたことにより、連結シート２０Ｇが切れ目２２Ｆに沿って屈曲し易くなる。
【００８１】
第２０図のタイルユニット１Ｈの連結シート２０Ｈは、第１６図の連結シート２０Ｄにおいて、略Ｃ字状の切れ目２２Ｅの延在方向における途中箇所から該Ｃ字の外側に向う３本の切れ目２２Ｇを設けたものである。このように切れ目２２Ｇを設けたことにより、連結シート２０Ｈが切れ目２２Ｇに沿って屈曲し易くなる。
【００８２】
なお、上記の実施の形態では、舌片部の形状は、略台形、三角形、略Ｕ字形（略コ字形）及び略Ｃ字形であったが、これらの形状に限定されるものではなく、５角形以上の多角形、楕円形等の形状であってもよい。
【符号の説明】
【００８３】
１，１Ａ〜１Ｈ  タイルユニット
１０  タイル
１１，１２，１３，１４  裏足
１１ｂ、１１ｃ、１２ｂ、１３ｂ、１４ｂ、１４ｃ  勾配面
１５  凹溝
２０，２０Ａ〜２０Ｈ  連結シート
２１，２１Ｅ  孔
２２，２２ａ，２２Ｂ〜２２Ｇ  切れ目
２４  連結シート（小）
３１，３２  目地部
４０，４０Ａ、４０Ｂ  孔
２３Ａ〜２３Ｆ  舌片部
【図１】
2010216099.tif 000003
【図２】
2010216099.tif 000004
【図３】
2010216099.tif 000005
【図４】
2010216099.tif 000006
【図５】
2010216099.tif 000007
【図６】
2010216099.tif 000008
【図７】
2010216099.tif 000009
【図８】
2010216099.tif 000010
【図９】
2010216099.tif 000011
【図１０】
2010216099.tif 000012
【図１１】
2010216099.tif 000013
【図１２】
2010216099.tif 000014
【図１３】
2010216099.tif 000015
【図１４】
2010216099.tif 000016
【図１５】
2010216099.tif 000017
【図１６】
2010216099.tif 000018
【図１７】
2010216099.tif 000019
【図１８】
2010216099.tif 000020
【図１９】
2010216099.tif 000021
【図２０】
2010216099.tif 000022